(57)【要約】【課題】  Ｉｕｂの輻輳状態に応じてスケジューリングが行える移動通信システムを提供する。【解決手段】  移動通信システムは、Ｉｕｂ（３０）の輻輳を検出する輻輳検出手段（２０１）と、輻輳検出手段がＩｕｂの輻輳を検出した場合に、移動局（１０）からの上り送信レートを低下させるスケジューリング・グラントを生成するスケジューラ（２０２）と、生成したスケジューリング・グラントを移動局へ送信する送信手段（２０４）と、を備える基地局（２０）を含む。【選択図】図１
2010212753.tif 000002
【特許請求の範囲】
【請求項１】
Ｉｕｂの輻輳を検出する輻輳検出手段と、
該輻輳検出手段が前記Ｉｕｂの輻輳を検出した場合に、移動局からの上り送信レートを低下させるスケジューリング・グラントを生成するスケジューラと、
前記スケジューリング・グラントを前記移動局へ送信する送信手段と、
を備える基地局を含む移動通信システムであって、
前記スケジューラは、
前記移動局からの上り送信データに低プライオリティデータが存在する場合に、前記低プライオリティデータの送信レートを優先的に低下させる前記スケジューリング・グラントを生成し、
前記スケジューリング・グラントは、前記移動局を個々に制御するプライマリ・スケジューリング・グラント又は前記移動局を含む複数の移動局を制御するセカンダリ・スケジューリング・グラントであり、
前記プライマリ・スケジューリング・グラントは、プライマリ・アブソルート・グラント及びプライマリ・ロー・アブソルート・グラントを含む複数種類のうちのいずれかであり、
前記プライマリ・ロー・アブソルート・グラントが前記低プライオリティデータの送信レートを低下させる前記スケジューリング・グラントである、
ことを特徴とする移動通信システム。
【請求項２】
前記スケジューリング・グラントを受信して上り送信レートを制御する移動局を含むことを特徴とする請求項１に記載の移動通信システム。
【請求項３】
Ｉｕｂの輻輳を検出する輻輳検出手段と、
該輻輳検出手段が前記Ｉｕｂの輻輳を検出した場合に、移動局からの上り送信レートを低下させるスケジューリング・グラントを生成するスケジューラと、
前記スケジューリング・グラントを前記移動局へ送信する送信手段と、
を備える基地局であって、
前記スケジューラは、
前記移動局からの上り送信データに低プライオリティデータが存在する場合に、前記低プライオリティデータの送信レートを優先的に低下させる前記スケジューリング・グラントを生成し、
前記スケジューリング・グラントは、前記移動局を個々に制御するプライマリ・スケジューリング・グラント又は前記移動局を含む複数の移動局を制御するセカンダリ・スケジューリング・グラントであり、
前記プライマリ・スケジューリング・グラントは、プライマリ・アブソルート・グラント及びプライマリ・ロー・アブソルート・グラントを含む複数種類のうちのいずれかであり、
前記プライマリ・ロー・アブソルート・グラントが前記低プライオリティデータの送信レートを低下させる前記スケジューリング・グラントである、
ことを特徴とする基地局。
【請求項４】
Ｉｕｂの輻輳を検出するステップと、
該輻輳検出手段が前記Ｉｕｂの輻輳を検出した場合に、移動局からの上り送信レートを低下させるスケジューリング・グラントを生成するステップと、
前記スケジューリング・グラントを前記移動局へ送信するステップと、
を含む上りスケジューリング方法であって、
前記スケジューリング・グラントを生成するステップは、
前記移動局からの上り送信データに低プライオリティデータが存在する場合に、前記低プライオリティデータの送信レートを優先的に低下させる前記スケジューリング・グラントを生成するステップである、
ことを特徴とする上りスケジューリング方法。
【請求項５】
Ｉｕｂの輻輳を検出するステップと、
該輻輳検出手段が前記Ｉｕｂの輻輳を検出した場合に、移動局からの上り送信レートを低下させるスケジューリング・グラントを生成するステップと、
前記スケジューリング・グラントを前記移動局へ送信するステップと、
をコンピュータに実行させるためのプログラムであって、
前記スケジューリング・グラントを生成するステップは、
前記移動局からの上り送信データに低プライオリティデータが存在する場合に、前記低プライオリティデータの送信レートを優先的に低下させる前記スケジューリング・グラントを生成するステップである、
ことを特徴とするプログラム。
【発明の詳細な説明】
【技術分野】
【０００１】
本発明は、移動通信システムに関し、特に、その上りスケジューリング方法に関するものである。
【背景技術】
【０００２】
近年、上り回線の高速パケットデータ伝送方法として、ＨＳＵＰＡ（High Speed Uplink Packet Access）が規格化され、Ｗ−ＣＤＭＡ（Wide band - Code Division Multiple Access）システムへの適用が検討されつつある。
【０００３】
ＨＳＵＰＡでは、基地局が無線状態を考慮して移動局の上りスループットをスケジューリングし、Ｅ−ＡＧＣＨ（Ｅ−ＤＣＨ（Enhanced Data CHannel） Absolute Grant CHannel）、及びＥ−ＲＧＣＨ（Ｅ−ＤＣＨ  Relative Grant CHannel）を用いてスケジューリング・グラント（Scheduling Grant）を制御情報として移動局に通知する。
【０００４】
Ｅ−ＡＧＣＨを用いて通知する制御情報には、プライマリ・アブソルート・グラント（Primary Absolute Grant）とセカンダリ・アブソルート・グラント（Secondary Absolute Grant）の２種類があり、Ｅ−ＲＮＴＩ（Ｅ−ＤＣＨ  Radio Network Temporary Identifier）によって識別される。
【０００５】
プライマリ・アブソルート・グラントは各移動局を個別に制御するために使用され、セカンダリ・アブソルート・グラントは複数の移動局（グループ）を制御するために使用される。
【先行技術文献】
【特許文献】
【０００６】
【特許文献１】特開２００６−１３５９９２号公報
【非特許文献】
【０００７】
【非特許文献１】３ＧＰＰ  ＴＳ２５．３２１  Ｖ６．１５．０
【非特許文献２】３ＧＰＰ  ＴＳ２５．３２１  Ｖ７．９．０
【発明の概要】
【発明が解決しようとする課題】
【０００８】
移動局は、基地局から送信される自局宛又は自局を含むグループ宛のスケジューリング・グラントを受信し、受信したスケジューリング・グラントに基づいて上り送信データのデータレートを制御する。ここで、移動局は、複数のＲＡＢ（Radio Access Bearer）を有することが可能であり、また、ＲＡＢ毎にプライオリティ（Priority）を設定することが可能である。しかし、基地局が移動局に通知するスケジューリング・グラントは、移動局が複数のＲＡＢを有する場合であっても、全ＲＡＢ（Radio Access Bearer）共通の制御情報である。このため、送信データのプライオリティに拘らず、データレート制御は一律に行われる。したがって、移動局において、プライオリティの高いデータに基づいてスケジューリングが行われると、プライオリティの低いデータが過剰に送信されることになり、Ｉｕｂに輻輳を引き起こすおそれがある。
【０００９】
ＩＰ網においてはディフサーブ（DiffServ：Differentiated Services）による相対的なＱｏＳ制御がなされており、今後Ｉｕｂ網がＩＰ化されることを想定すると、上述したプライオリティの低いデータによって輻輳が引き起こされるという事態を避けることが望まれる。
【００１０】
本発明は、かかる点を鑑みてなされたものであり、Ｉｕｂの輻輳状態に応じてスケジューリングが行える移動通信システム及び上りスケジューリング方法を提供する。
【課題を解決するための手段】
【００１１】
本発明の第１の態様によれば、Ｉｕｂの輻輳を検出する輻輳検出手段と、該輻輳検出手段が前記Ｉｕｂの輻輳を検出した場合に、移動局からの上り送信レートを低下させるスケジューリング・グラントを生成するスケジューラと、前記スケジューリング・グラントを前記移動局へ送信する送信手段と、を備える基地局を含む移動通信システムであって、前記スケジューラは、前記移動局からの上り送信データに低プライオリティデータが存在する場合に、前記低プライオリティデータの送信レートを優先的に低下させる前記スケジューリング・グラントを生成し、前記スケジューリング・グラントは、前記移動局を個々に制御するプライマリ・スケジューリング・グラント又は前記移動局を含む複数の移動局を制御するセカンダリ・スケジューリング・グラントであり、前記プライマリ・スケジューリング・グラントは、プライマリ・アブソルート・グラント及びプライマリ・ロー・アブソルート・グラントを含む複数種類のうちのいずれかであり、前記プライマリ・ロー・アブソルート・グラントが前記低プライオリティデータの送信レートを低下させる前記スケジューリング・グラントである、ことを特徴とする移動通信システムが提供される。
【００１２】
また、本発明の第２の態様によれば、Ｉｕｂの輻輳を検出する輻輳検出手段と、該輻輳検出手段が前記Ｉｕｂの輻輳を検出した場合に、移動局からの上り送信レートを低下させるスケジューリング・グラントを生成するスケジューラと、前記スケジューリング・グラントを前記移動局へ送信する送信手段と、を備える基地局であって、前記スケジューラは、前記移動局からの上り送信データに低プライオリティデータが存在する場合に、前記低プライオリティデータの送信レートを優先的に低下させる前記スケジューリング・グラントを生成し、前記スケジューリング・グラントは、前記移動局を個々に制御するプライマリ・スケジューリング・グラント又は前記移動局を含む複数の移動局を制御するセカンダリ・スケジューリング・グラントであり、前記プライマリ・スケジューリング・グラントは、プライマリ・アブソルート・グラント及びプライマリ・ロー・アブソルート・グラントを含む複数種類のうちのいずれかであり、前記プライマリ・ロー・アブソルート・グラントが前記低プライオリティデータの送信レートを低下させる前記スケジューリング・グラントである、ことを特徴とする基地局が提供される。
【００１３】
また、本発明の第３の態様によれば、Ｉｕｂの輻輳を検出するステップと、該輻輳検出手段が前記Ｉｕｂの輻輳を検出した場合に、移動局からの上り送信レートを低下させるスケジューリング・グラントを生成するステップと、前記スケジューリング・グラントを前記移動局へ送信するステップと、を含む上りスケジューリング方法であって、前記スケジューリング・グラントを生成するステップは、前記移動局からの上り送信データに低プライオリティデータが存在する場合に、前記低プライオリティデータの送信レートを優先的に低下させる前記スケジューリング・グラントを生成するステップである、ことを特徴とする上りスケジューリング方法が提供される。
【００１４】
さらに、本発明の第４の態様によれば、Ｉｕｂの輻輳を検出するステップと、該輻輳検出手段が前記Ｉｕｂの輻輳を検出した場合に、移動局からの上り送信レートを低下させるスケジューリング・グラントを生成するステップと、前記スケジューリング・グラントを前記移動局へ送信するステップと、をコンピュータに実行させるためのプログラムであって、前記スケジューリング・グラントを生成するステップは、前記移動局からの上り送信データに低プライオリティデータが存在する場合に、前記低プライオリティデータの送信レートを優先的に低下させる前記スケジューリング・グラントを生成するステップである、ことを特徴とするプログラムが提供される。
【発明の効果】
【００１５】
本発明によれば、Ｉｕｂの輻輳状態に応じて上りデータの伝送レートを制御することができる。
【図面の簡単な説明】
【００１６】
【図１】本発明の一実施の形態に係る移動通信システムの概略構成を示すブロック図である。
【図２】図１の移動通信システムの動作を説明するためのフローチャートである。
【図３】スケジューリング・グラントの更新動作を説明するためのフローチャートである。
【発明を実施するための形態】
【００１７】
以下、本発明の実施の形態について、図面を参照して詳細に説明する。
【００１８】
図１は、本発明の一実施の形態に係る移動通信システムの概略構成を示すブロック図である。
【００１９】
図１に示す移動通信システムは、移動局１０と基地局２０とを含む。基地局２０は、Ｉｕｂ（インタフェース）３０を介して図示しない無線ネットワーク制御装置（ＲＮＣ：Radio Network Controller）に接続されている。通常、無線ネットワーク制御装置には、複数の無線基地局が接続されており、各無線基地局は複数の移動局と無線通信可能である。しかしながら、ここでは、説明を簡単にするため、一つの基地局２０と一つの移動局１０について説明する。
【００２０】
移動局１０は、Ｅ−ＡＧＣＨ受信処理部１０１、スケジューリング・グラント管理部１０２、スケジューラ１０３、Ｅ−ＤＣＨ送信処理部１０４を有している。
【００２１】
また、基地局２０は、Ｉｕｂ輻輳監視部２０１、スケジューラ２０２、スケジューリング・グラント管理部２０３、Ｅ−ＡＧＣＨ送信処理部２０４、Ｅ−ＤＣＨ受信処理部２０５を有している。
【００２２】
移動局１０及び基地局２０の上記以外の構成については、本発明に直接関係がないので図示及びその説明を省略する。
【００２３】
移動局１０のＥ−ＡＧＣＨ受信処理部１０１は、Ｅ−ＡＧＣＨを通じて基地局２０から送信されてくるスケジューリング・グラントを受信し、受信したスケジューリング・グラントが自局宛のものである場合には、受信したスケジューリング・グラントをスケジューリング・グラント管理部１０２へ渡す。
【００２４】
スケジューリング・グラント管理部１０２は、Ｅ−ＡＧＣＨ受信処理部１０１から渡されたスケジューリング・グラントを記憶部に格納（更新）するとともに、最新のスケジューリング・グラントをスケジューラ１０３からの求めに応じて提供する。
【００２５】
スケジューラ１０３は、スケジューリング・グラント管理部１０２から最新のスケジューリング・グラントを取得し、取得したスケジューリング・グラントに基づく制御信号を生成し、生成した制御信号と送信データとをＥ−ＤＣＨ送信処理部１０４へ送る。
【００２６】
Ｅ−ＤＣＨ送信処理部１０４は、スケジューラ１０３からの制御情報に基づく送信レートで送信データを基地局２０へ送信する。この処理には、Ｅ−ＨＩＣＨ（Ｅ−ＤＣＨ  ＨＡＲＱ（Hybrid Automatic Repeat Request）Indicator Channel）の受信処理、ＨＡＲＱ制御、Ｅ−ＤＣＨデータの符号化、及びＥ−ＤＰＤＣＨ（Ｅ−ＤＣＨ（Dedicated Physical Data Channel）、Ｅ−ＤＰＣＣＨ（Ｅ−ＤＣＨ  Dedicated Physical Control Channel）の送信処理が含まれる。
【００２７】
基地局２０のＥ−ＤＣＨ受信処理部２０５は、Ｅ−ＨＩＣＨ送信処理、ＨＡＲＱ制御、Ｅ−ＤＰＤＣＨ、Ｅ−ＤＰＣＣＨ受信処理、及びＥ−ＤＣＨデータの復号処理を行う。つまり、Ｅ−ＤＣＨ受信処理部２０５は、基地局２０から送信された送信データを受信、復号して、復号されたデータをＩｕｂ３０へ送出する。
【００２８】
Ｉｕｂ輻輳監視部２０１は、輻輳検出手段として機能し、Ｉｕｂ３０に輻輳が生じていることを検出する。この輻輳検出は、ＲＮＣにおいて行い、制御情報として通知されるようにすることができる。Ｉｕｂ輻輳監視部２０１は、Ｉｕｂ３０の輻輳を検出するとその旨、輻輳情報としてスケジューラ２０２に通知する。
【００２９】
スケジューラ２０２は、輻輳情報の通知を受けると、移動局１０の現在のスケジューリング・グラントの状態をスケジューリング・グラント管理部２０３から取得し、新たなスケジューリング・グラントを生成する。スケジューラ２０２は、また、生成した新たなスケジューリング・グラントをスケジューリング・グラント管理部２０３へ通知するとともに、Ｅ−ＡＧＣＨ送信処理部２０４へも通知する。
【００３０】
スケジューリング・グラント管理部２０３は、スケジューラ２０２からの要求に応じて、記憶部に格納してある現在のスケジューリング・グラントを提供する。また、スケジューラ２０２から新たなスケジューリング・グラントが通知されると記憶しているスケジューリング・グラントを更新する。
【００３１】
Ｅ−ＡＧＣＨ送信処理部２０４は、送信手段として機能し、スケジューラ２０２から通知されるスケジューリング・グラントをＥ−ＡＧＣＨを用いて移動局１０のＥ−ＡＧＣＨ受信処理部１０１へ送信する。
【００３２】
以下、図２をも参照して、図１の移動通信システムにおける上りスケジューリング方法について説明する。
【００３３】
まず、Ｅ−ＤＣＨデータを移動局１０から基地局２０へ送信するために、移動局１０のスケジューラ１０３は、スケジューリング・グラント管理部１０２に格納されている現在（最新）のスケジューリング・グラントを取得する。そして、取得したスケジューリング・グラントに基づいて送信データレートを決定する。そして、決定した送信データレートでＥ−ＤＣＨデータを送信するように、Ｅ−ＤＣＨ送信処理部１０４に制御信号を及びＥ−ＤＣＨデータを送る。
【００３４】
Ｅ−ＤＣＨ送信処理部１０４は、スケジューラ１０３により決定された送信データレートでＥ−ＤＣＨデータを送信する。
【００３５】
なお、移動局１０から基地局２０へのＥ−ＤＣＨデータの送信は、複数のＲＡＢを用いて行うことが可能であり、各ＲＡＢ毎にプライオリティを設定できるものとする。
【００３６】
基地局２０では、Ｅ−ＤＣＨ受信処理部２０５が、移動局１０から送信されてきたＥ−ＤＣＨデータを復号し、Ｉｕｂ３０（を介して図示しないＲＮＣ）へ送信する。
【００３７】
一方、基地局では、Ｉｕｂ輻輳監視部２０１が、Ｉｕｂ３０の輻輳状態を監視している。上りＩｕｂ３０に輻輳が発生すると、Ｉｕｂ輻輳監視部２０１は、輻輳発生を検出し、輻輳情報を生成してスケジューラ２０２へ送る（ステップＳ２１）。上述したように、輻輳状態の検出は、上述したようにＲＮＣにおいて行われてもよい。この場合、Ｉｕｂ３０の輻輳を示す制御情報が、ＲＮＣからＩｕｂ３０を介してＩｕｂ輻輳監視部２０１へ通知される。
【００３８】
スケジューラ２０２は、Ｉｕｂ輻輳監視部２０１からの輻輳情報を受け取ると、移動局１０の現在のスケジューリング・グラント状態をスケジューリング・グラント管理部２０３から取得し、取得したスケジューリング・グラントに基づいて新たなスケジューリング・グラントを決定する（ステップＳ２２）。
【００３９】
スケジューリング・グラント管理部２０３には、移動局１０のスケジューリング・グラント管理部１０２と同一の情報が格納されている。格納されている情報には、送信データレートを表す値と、プライオリティ毎に移動局１０から送信されるデータが存在しているか否かを示す状態変数が含まれる。ここでは、状態変数は、後に図３を参照して説明するように、プライマリ・グラント・アベイラブル（Primary_Grant_Available）とプライマリ・ロー・グラント・アベイラブル（Primary_Low_Grant_Available）の２つとする。プライマリ・グラント・アベイラブルは、移動局１０が高プライオリティの送信データを送信しているか否かを表すものである。プライマリ・ロー・グラント・アベイラブルは、移動局１０が低プライオリティの送信データを送信しているか否かを表すものである。
【００４０】
ステップ２において、スケジューラ２０２は、ます、現在のスケジューリング・グラントに関連付けられたプライマリ・ロー・グラント・アベイラブルの真偽を判定する（ステップＳ２２１）。
【００４１】
プライマリ・ロー・グラント・アベイラブルが真のとき、即ち、移動局１０に低プライオリティの送信データ存在するとき、スケジューラ２０２は、プライマリ・ロー・アブソルート・グラントを更新する（ステップＳ２２２）。即ち、プライマリ・ローＥ−ＲＮＴＩと、現在のプライマリ・ロー・アブソルート・グラントの値（送信データレートを表す値）より小さい値を含む新たなスケジューリング・グラントとを生成する。これは、低プライオリティデータの送信レートを優先的に低下させるスケジューリング・グラントを生成することを意味する。なお、プライマリ・ローＥ−ＲＮＴＩは、このスケジューリング・グラントが移動局を個別制御するためのものであって、低プライオリティのデータ伝送速度を制御するためのものであることを示すものである。
【００４２】
一方、プライマリ・ロー・グラント・アベイラブルが偽のとき、スケジューラ２０２は、プライマリ・グラント・アベイラブルの真偽を判定する（ステップＳ２２３）。
【００４３】
プライマリ・グラント・アベイラブルが真のとき、即ち、移動局１０に低プライオリティの送信データは存在しないが、高プライオリティの送信データが存在する場合、スケジューラ２０２は、プライマリ・アブソルート・グラントを更新する（ステップＳ２２４）。即ち、プライマリＥ−ＲＮＴＩと、現在のプライマリ・アブソルート・グラントの値（送信データレートを表す値）より小さい値を含む新たなスケジューリング・グラントとを生成する。なお、プライマリＥ−ＲＮＴＩは、このスケジューリング・グラントが移動局を個別制御するためのものであって、プライオリティに関係なくデータ伝送速度を制御するためのものであることを示すものである。
【００４４】
プライマリ・グラント・アベイラブルが偽のとき、即ち、移動局１０に送信データ存在しない場合には、スケジューラ２０２は、セカンダリ・アブソルート・グラントを更新する（ステップＳ２２５）。即ち、セカンダリＥ−ＲＮＴＩと、現在のセカンダリ・アブソルート・グラントの値（送信データレートを表す値）より小さい値を含む新たなスケジューリング・グラントとを生成する。なお、セカンダリＥ−ＲＮＴＩは、このスケジューリング・グラントが複数の移動局を共通制御するためのものであることを示すものである。
【００４５】
このように、本実施の形態では、プライオリティ・ローＥ−ＲＮＴＩ及びプライオリティ・ロー・アブソルート・グラントを新たに導入する。これらはそれぞれ、低プライオリティ用のプライマリＥ−ＲＮＴＩ及び低プライオリティ用のプライマリ・アブソルート・グラントの便宜的な呼称である。また、プライマリ・ロー・グラント・アベイラブルは、プライマリ・ロー・アブソルート・グラントの状態を表す状態変数である。
【００４６】
ステップＳ２２において決定された新たなスケジューリング・グラントはスケジューリング・グラント管理部２０３及びＥ−ＡＧＣＨ送信処理部２０４に通知される。
【００４７】
通知を受けたスケジューリング・グラント管理部２０３は、後述するように記憶部に格納しているスケジューリング・グラント及び関連情報の更新を行う。
【００４８】
一方、Ｅ−ＡＧＣＨ送信処理部２０４は、スケジューラから受け取った新たなスケジューリング・グラントを符号化し、Ｅ−ＡＧＣＨを介して移動局１０へ送信する（ステップＳ２３）。
【００４９】
移動局１０のＥ−ＡＧＣＨ受信処理部１０１は、Ｅ−ＡＧＣＨを介して符号化された新たなスケジューリング・グラントを受信する（ステップＳ２４）。そして、Ｅ−ＡＧＣＨ受信処理部１０１は、受信した符号化データを自局に予め割り当てられているＥ−ＲＮＴＩを用いて復号処理を行う。復号に成功したならば、受信したスケジューリング・グラントが自局宛のものであると判断できる。Ｅ−ＡＧＣＨ受信処理部１０１は、復号に成功した場合、復号に用いたＥ−ＲＮＴＩとともにアブソルート・グラントをスケジューリング・グラント管理部１０２に通知する。
【００５０】
スケジューリング・グラント管理部１０２は、基地局２０のスケジューリング・グラント管理部２０３と同様に（後述するように）、記憶部に格納しているスケジューリング・グラントの更新を行う（ステップＳ２５）。
【００５１】
スケジューラ１０３は、スケジューリング・グラント管理部１０２から最新のスケジューリング・グラントを取得し、それに基づきＥ−ＤＣＨ送信処理部１０４に対し新たな制御情報を送る。
【００５２】
Ｅ−ＤＣＨ送信処理部１０４は、スケジューラ１０３から新たな制御情報を受け取り、それにしたがって、上りデータレート制御を行う（ＳＴＥＰＳ２６）。
【００５３】
以上のようにして本実施の形態に係る移動通信システムでは、Ｉｕｂ３０の輻輳を検出し、輻輳に応じて上りデータレート制御を行う。その際、低プライオリティデータが存在する場合には、まず、低プライオリティデータの送信レートを低下させる。こうして、本実施の形態に係る移動通信システムでは、Ｉｕｂ３０に輻輳が生じた場合に、まず低プライオリティデータの送信を抑制し、その後高プライオリティデータの送信を抑制するといった柔軟な上りデータレート制御が可能となる。
【００５４】
次に、図３を参照して、基地局２０のスケジューリング・グラント管理部２０３の更新動作（移動局１０のスケジューリング・グラント管理部１０２の更新動作も同様）について説明する。
【００５５】
まず、スケジューリング・グラント管理部２０３は、スケジューラ２０２において作成された新たなスケジューリング・グラントがプライマリ・アブソルート・グラントか否か判定する（ステップＳ３１）。
【００５６】
新たなスケジューリング・グラントがプライマリ・アブソルート・グラントのとき（ステップＳ３１でＹＥＳ）、スケジューリング・グラント管理部２０３は、プライマリ・アブソルート・グラントを更新する（ステップＳ３２）。
【００５７】
次に、スケジューリング・グラント管理部２０３は、全ＨＡＲＱプロセスがインアクティブか否か判定する（ステップＳ３３）。
【００５８】
全ＨＡＲＱプロセスがインアクティブのとき（ステップＳ３３でＹＥＳ）、高プライオリティデータの送信が行われていないと判断して、スケジューリング・グラント管理部２０３は、状態変数であるプライマリ・グラント・アベイラブルを偽に設定し（ステップＳ３４）、そうでなければ（ステップＳ３４でＮＯ）、真に設定する（ステップＳ３５）。
【００５９】
次に、スケジューリング・グラント管理部２０３は、プライマリ・ロー・アブソルート・グラントを更新する（ステップＳ３６）。
【００６０】
次に、スケジューリング・グラント管理部２０３は、全ＨＡＲＱプロセスがインアクティブか否か判定する（ステップＳ３７）。
【００６１】
全ＨＡＲＱプロセスがインアクティブのとき（ステップＳ３７でＹＥＳ）、低プライオリティデータの送信が行われていないと判断して、スケジューリング・グラント管理部２０３は、状態変数であるプライマリ・ロー・グラント・アベイラブルを偽に設定し（ステップＳ３８）、そうでなければ（ステップＳ３７でＮＯ）、真に設定する（ステップＳ３９）。
【００６２】
一方、ステップＳ３１において、新たなスケジューリング・グラントがプライマリ・アブソルート・グラントでないとき（ステップＳ３１でＮＯ）、スケジューリング・グラント管理部２０３は、新たなスケジューリング・グラントがプライマリ・ロー・アブソルート・グラントか否か判定する（ステップＳ４０）。
【００６３】
新たなスケジューリング・グラントがプライマリ・ロー・アブソルート・グラントのとき（ステップＳ４０でＹＥＳ）、ステップＳ３６へ進む。
【００６４】
新たなスケジューリング・グラントがプライマリ・ロー・アブソルート・グラントでないとき（ステップＳ４０でＮＯ）、そのスケジューリング・グラントは、セカンダリ・アブソルート・グラントなので、スケジューリング・グラント管理部２０３は、セカンダリ・アブソルート・グラントを更新する（ステップＳ４１）。
【００６５】
以上のようにして、スケジューリング・グラント管理部２０３は、格納するスケジューリング・グラント及び関連情報である状態変数を更新する。
【００６６】
図３のフローチャートから理解されるように、本実施の形態では、低プライオリティデータを送信する際に参照されるプライマリ・ロー・アブソルート・グラントは、プライマリ・アブソルート・グラントが更新される際にも追従して更新される。これにより、高プライオリティデータの送信レートを低下させる場合には、低プライオリティデータのデータの送信レートも低下する。
【００６７】
以上説明したように、本実施の形態に係る移動通信システムでは、Ｉｕｂ輻輳時にまず低プライオリティデータを抑圧し、その後高プライオリティデータを抑圧するといった柔軟な上りデータレート制御が可能となる。つまり、本実施の形態に係る移動通信システムでは、低プライオリティデータと高プライオリティデータを別々にレート制御することが可能となり、プライオリティに応じた柔軟な上りスケジューリングを行うことができる。
【００６８】
以上、本発明について一実施の形態に即して説明したが、本発明は上記実施の形態に限定されるものではなく、本発明の主旨から逸脱しない範囲において、種々の変更、変形が可能である。例えば、上記実施の形態では、高低二つのプライオリティを設定する場合について説明したが、３以上のプライオリティを設定することも可能である。この場合、３以上にクラス分けされたプライマリ・アブソルート・グラント（プライマリ・スケジューリング・グラント）を用いる。また、上述した移動局１０及び基地局２０をそれぞれ構成するブロックは、各ブロックの動作をコンピュータに実行させるプログラムによって実現されてもよい。
【符号の説明】
【００６９】
１０    移動局
２０    基地局
３０    Ｉｕｂ
１０１    Ｅ−ＡＧＣＨ受信処理部
１０２    スケジューリング・グラント管理部
１０３    スケジューラ
１０４    Ｅ−ＤＣＨ送信処理部
２０１    Ｉｕｂ輻輳監視部
２０２    スケジューラ
２０３    スケジューリング・グラント管理部
２０４    Ｅ−ＡＧＣＨ送信処理部
２０５    Ｅ−ＤＣＨ受信処理部
【図１】
2010212753.tif 000003
【図２】
2010212753.tif 000004
【図３】
2010212753.tif 000005